(57)【要約】【課題】排版ガイドの上面に孔版原紙が残ったとしても、圧縮板のホームポジション復帰動作に伴うかき上げが行われず、排版不良を生じさせない孔版印刷装置を提供することを目的とする。【解決手段】使用済みの孔版原紙を収容する排版ボックスと、版胴から孔版原紙を搬送し、排版ボックス内へ送り込む原紙搬送手段と、原紙搬送手段により送り込まれている孔版原紙の搬送をガイドする排版ガイドと、排版ボックス内の孔版原紙を圧縮する圧縮手段とを備えた孔版印刷装置において、排版ガイドは圧縮手段の圧縮動作の軌跡に干渉しない退避位置と、圧縮手段の圧縮動作の軌跡と干渉する突出位置とで移動自在に設けられている。【選択図】  図４
2013208750.tif 000002
【特許請求の範囲】
【請求項１】
使用済みの孔版原紙を収容する排版ボックスと、
版胴から前記孔版原紙を搬送し、前記排版ボックス内へ送り込む原紙搬送手段と、
前記原紙搬送手段により送り込まれた前記孔版原紙を前記排版ボックス内へガイドする排版ガイドと、
前記排版ボックス内の孔版原紙を圧縮する圧縮手段と、を備えた孔版印刷装置において、
前記排版ガイドは、前記圧縮手段の圧縮動作の軌跡に干渉しない退避位置と、前記圧縮手段の圧縮動作の軌跡と干渉する突出位置との間で移動自在に設けられていることを特徴とする排版装置。
【発明の詳細な説明】
【技術分野】
【０００１】
本発明は、孔版原紙の排版不良を防止した孔版印刷装置に関する。
【背景技術】
【０００２】
孔版印刷装置は、回転自在な円筒形状の版胴の外周面に印刷用の孔版原紙（マスタ）を装着し、所望の印刷を行った後に、版胴から使用済みの孔版原紙を取り外し、この取り外した孔版原紙を原紙送り込みローラを介して、排版ボックス（収容ボックス）に回収することが行われている。
【０００３】
このような孔版印刷装置では、使用済みの孔版原紙の収容量を増加させるために、収容された使用済みの孔版原紙を圧縮板で圧縮を行っている。この時に、圧縮された使用済みの孔版原紙が、孔版原紙自身の復元力や圧縮板への粘着によって、孔版原紙収容ボックスから原紙送り込みローラへと戻らないように、孔版原紙収容ボックスの入り口近傍に、複数のリブ状の排版ガイドを設けた孔版印刷装置が開示されている（例えば、特許文献１参照）。
【先行技術文献】
【特許文献】
【０００４】
【特許文献１】特開２００９−３４９００号公報
【発明の概要】
【発明が解決しようとする課題】
【０００５】
しかしながら、特許文献１記載の孔版印刷装置では、マスタを収容ボックス内に送り込む際に、マスタが排版ガイド（複数のリブ）の上面に接触しながら、収容ボックスの奥側へとガイドされるので、この接触による摩擦抵抗により十分に搬送されることなく、排版ガイドの上面にマスタの端部が残ったままになってしまう可能性がある。この状態で、圧縮板により圧縮動作が行われると、排版ガイドが圧縮動作の圧縮力に抗して、マスタを押さえ、マスタの端部が排版ガイドの上面に引っかかったままとなってしまう。さらに、排版ガイドの上面にマスタが引っかかったまま、圧縮板のホームポジション復帰動作が行われると、圧縮板によって、引っかかった孔版原紙がかき上げられ、孔版原紙収容ボックスの入口を塞いでしまうので、次のマスタを排版する際の障害となり、排版不良の原因となっていた。
【０００６】
そこで、本発明では、排版ガイドを用いて、圧縮された孔版原紙が自身の復元力で原紙送り込みローラまで戻るのを防止すると共に、排版ガイドの上面に孔版原紙の端部が残ったとしても、圧縮板のホームポジション復帰動作に伴って、かき上げられず、排版不良を生じさせない孔版印刷装置を提供することを目的とする。
【課題を解決するための手段】
【０００７】
使用済みの孔版原紙を収容する排版ボックスと、版胴から孔版原紙を搬送し、前記排版ボックス内へ送り込む原紙搬送手段と、前記原紙搬送手段により送り込まれている孔版原紙の搬送をガイドする排版ガイドと、前記排版ボックス内の孔版原紙を圧縮する圧縮手段と、を備えた孔版印刷装置において、前記排版ガイドは、前記圧縮手段の圧縮動作の軌跡に干渉しない退避位置と、前記圧縮手段の圧縮動作の軌跡と干渉する突出位置とで移動自在に設けられていることを特徴とする孔版印刷装置。
【発明の効果】
【０００８】
本発明の孔版印刷装置によれば、排版ガイドが、圧縮板の圧縮動作中は退避位置に退避するので、孔版原紙が排版ガイド上に残ることは無く、排版ボックスに収容されるので、排版不良を防止できる。また、圧縮板のホームポジション復帰動作時には突出位置に位置するので、圧縮された孔版原紙が原紙搬送手段側に戻るのを防止することができる。
【図面の簡単な説明】
【０００９】
【図１】本発明の実施形態に係る孔版印刷装置を示した全体概略構成図である。
【図２】本発明の実施形態に係る孔版印刷装置の排版部を示した部分拡大図である。
【図３】本発明の実施形態に係わる排版ガイドが突出位置に位置した際の排版部の要部を示した部分拡大図である。
【図４】本発明の実施形態に係わる排版ガイドが退避位置に位置した際の排版部の要部を示した部分拡大図である。
【発明を実施するための形態】
【００１０】
以下、図面を用いて本発明に係る実施形態について説明するに、孔版印刷装置の全体構成は既に公知であるが、理解を容易にするために、概略的に示した図１を用いて、孔版印刷装置の全体構成について概略的に説明する。
【００１１】
図１に示すように、孔版印刷装置１は、筐体３を備えており、この筐体３内には孔版印刷を行う孔版印刷部５が備えられている。そして、筐体３の一側部には、孔版印刷部５に対して給紙を行うための給紙台７が備えられており、筐体３の他側部には、孔版印刷部５において印刷されて外部へ排出された用紙を積層する排紙台９が備えられている。さらに、筐体３の上部には、印刷する原稿を光学的に読み取るための原稿読み取り手段１１が備えられている。なお、給紙台７，排紙台９及び原稿読み取り手段１１は、孔版印刷装置１においては公知の構成であるから、給紙台７、排紙台９及び原稿読み取り手段１１の詳細については説明を省略する。
【００１２】
孔版印刷部５には、例えばパンチングボード等によって形成された円筒形状の版胴１３が回転自在に備えられており、この版胴１３に隣接した位置には、版胴１３に対して感熱性の孔版原紙を供給するための原紙供給ロール１５が回転自在に備えられている。そして、原紙供給ロール１５から版胴１３への原紙供給路には、原稿読み取り手段１１によって読み取られた原稿画像に対応して孔版原紙に穿孔を行い製版を行うサーマルヘッド１７が備えられており、このサーマルヘッド１７の原紙搬送方向下流側には、孔版原紙Ｐを適正長さに切断するカッタ１９が備えられている。さらに、カッタ１９の原紙搬送方向下流側には、版胴１３に備えた原紙クランプ２１へ孔版原紙Ｐの搬送を行うための原紙供給ロール２３が備えられている。
【００１３】
上記構成により、原稿読み取り手段１１において原稿の読み取りが行われると、サーマルヘッド１７によって原紙Ｐに、原稿画像に対応して穿孔が行なわれ製版が行われる。そして、カッタ１９によって孔版原紙Ｐが所定長さに切断され、原紙供給ロール２３によって版胴１３の原紙クランプ２１へ送り込まれると、孔版原紙Ｐの先端縁がクランプされ、版胴１３に対して製版された孔版原紙Ｐの取付けが行われる。
【００１４】
そして、版胴１３の内部に備えたインキ供給手段２５からインキの供給を行うと共に、給紙台７の上側に備えたスクレーパ２７，ピックアップロール２９によって積層された用紙の最上部の１枚をタイミングロール３１とガイドロール３３との間へ送り込み、版胴１３の回転にタイミングを合わせて用紙の供給を行い、プレスロール３５によって用紙を版胴１３の外周面を押圧しつつ送りを行うことにより、用紙に対して印刷が行われる。
【００１５】
プレスロール３５を用紙が通過すると、このプレスロール３５の用紙搬送方向下流側に備えた剥離爪３７によって版胴１３から用紙の剥離が行われる。そして、剥離された用紙は、吸着手段を備えた搬送手段３９によって吸着されつつ排紙台９へ搬送され積層される。
【００１６】
なお、前述した各部の構成は公知であるから、そのより詳細な構成，作用についての説明は省略する。
【００１７】
さて、前記筐体３内において版胴１３に近接した位置には、版胴１３から取り外された孔版原紙（使用済みの孔版原紙）Mを回収するための排版部４１が備えられている。
【００１８】
より詳細には、排版部４１は、版胴１３から取り外されて搬入された使用済みの孔版原紙Mを収容するための排版ボックス４３が筐体３に対して着脱自在に備えられている。この排版ボックス４３の入口側には、図２に示すように、原紙送り込み手段４５が備えられている。上記原紙送り込み手段４５は筐体３に支持されているもので、孔版原紙の搬入方向に対して直交する方向，すなわち孔版原紙Mの幅方向（図２において紙面に垂直な方向）に長い回転軸４７を備えている。
【００１９】
回転軸４７は筐体３の適宜位置に装置したモータ（図示省略）によって回転駆動されるもので、この回転軸４７の長手方向には、孔版原紙Mの複数種の幅寸法に対応して複数の駆動プーリ４９が適宜間隔に備えられている。そして、筐体３の一部に揺動可能に設けられた図示しない各揺動ブラケットに回転自在に支持された各従動プーリ５５が、各駆動プーリ４９に対応して設けられている。この各従動プーリ５５と各駆動プーリ４９には、エンドレス状の送りベルト５７がそれぞれ掛回してある。すなわち、複数の送りベルト５７は、孔版原紙Mの複数種の幅寸法に対応して複数箇所に設けてあるものである。
【００２０】
搬送ベルト５７の下方位置で筐体３の一部には、回転軸４７と平行な従動軸５９が回転自在に備えられており、この従動軸５９の長手方向の複数箇所には、送りベルト５７に接触して従動回転される排版ローラ（送り込みローラ）６１が備えられている。
【００２１】
上記構成により、送りベルト５７を、図２において時計回り方向に回転すると、排版ローラ６１は反時計回り方向に従動回転する。したがって、版胴１３から取り外されたマスタが矢印Ａ方向に移送されて、送りベルト５７と排版ローラ６１との間に挟み込まれると、送りベルト５７の作用によって排版ボックス４３の収容室６５内へ送り込まれることになる。
【００２２】
そして、排版ボックス４３の収容室６５内へより多くの孔版原紙Mを収容するために、収容室６５内の孔版原紙Mを、入口側から収容室６５における奥壁部６７方向へ圧縮するための圧縮手段６９が備えられている。より詳細には、排版ボックス４３の上方において回転軸４７と平行な回動軸７１が筐体３の一部に回動自在に備えられている。そして、この回動軸７１には、収容室６５内の孔版原紙Mを入口側から奥壁部６７方向へ圧縮するための圧縮板７３の基部側が取付けてある。
【００２３】
したがって、モータなどのアクチュエータ（図示省略）によって回動軸７１を、図２において時計回り方向に回動すると、圧縮板７３が同方向に回動し、収容室６５内の孔版原紙Mを入口側から奥壁部６７方向へ圧縮することになる。そして、圧縮板７３を図２に示す元の位置（ホームポジション）へ回動上昇して、圧縮された孔版原紙Mは膨らみを生じ、また圧縮板７３に粘着（貼着）によって、排版ボックス４３の入口側へ戻ることがあり、場合によっては排版ローラ６１などに絡み付くことがある。
【００２４】
そこで、圧縮板７３の戻り時に、収容室６５内に圧縮された孔版原紙Mが戻ることを防止するために、排版ローラ６１の下側には、排版ボックス４３における収容室６５の入口から収容室６５内へ突出した複数のリブ状の排版ガイド７５が筐体３の一部に備えられている。
【００２５】
排版ガイド７５は、孔版原紙Mの幅方向（図２において紙面に垂直な方向）へ適宜間隔に設けられており、前述したように、収容室６５内の圧縮された孔版原紙Mが戻ることを、孔版原紙Mの幅方向全体において阻止すると共に、原紙送り込み手段４５によって収容室６５内へ送り込まれた直後の孔版原紙Mの搬送をガイドする作用をなすものである。そして、排版ガイド７５が搬送されている孔版原紙をガイドするガイド面（支持部）７７は、図２に示すように、収容室６５内に入るほど低くなるように傾斜してある。
【００２６】
次に、図３及び図４を用いて、排版ガイド７５の詳細について説明する。
【００２７】
図３に示すように、排版ガイド７５には、図３の紙面に垂直な方向に延びるガイド部回転軸８１が設けられている。ガイド面７７が設けられている可動ガイド部８２は、このガイド部回転軸８１に後述する付勢手段により付勢されており、回転軸８１を中心に回動可能に設けられている。付勢手段とは、可動ガイド部８２に固着された排版ガイド側突起８４と、筐体に固着された筐体側突起８５と、これらの突起に掛け渡された圧縮バネ８３とにより構成されている。可動ガイド部８２は、圧縮バネ８３の圧縮力により、図３の矢印B方向に付勢され、図示しないストッパなどにより、図３の突出位置に位置するように設けられている。
【００２８】
図４は、排版ガイド７５が、退避位置に位置した図である。可動ガイド部８２のガイド面７７に残っている孔版原紙を圧縮板７３が圧縮する際に、圧縮板７３が孔版原紙Mを介して、可動ガイド部８２を図４の矢印Ｃ方向に回動させる。当然、圧縮板７３の圧縮力は、圧縮バネ８３の圧縮力よりも強いものである。圧縮板７３が、図４の位置まで回動すると、圧縮板７３による圧縮力が、可動ガイド部８２に及ぼさなくなるので、可動ガイド部８２は、圧縮バネ８３の圧縮力により、図３の突出位置まで回動することになる。
【００２９】
本実施形態では、圧縮板７３と排版ガイド７５とは、それぞれの回動軸方向（紙面に垂直な方向）に分割して櫛歯状に設けられており、回転軸方向においては干渉しない位置に設けられている。そのため、排版ガイド７５のガイド面７７に孔版原紙Mが残っていない正常な状態の時は、排版ガイド７５は圧縮板７３の圧縮力を受けることなく、常に突出位置に位置している。
【００３０】
このように、排版ガイド７５が、圧縮板７３の圧縮動作中は退避位置に退避するので、孔版原紙Mが排版ガイド７５上に残ることは無く、排版ボックス４３に収容されるので、排版不良を防止できる。また、圧縮板７３のホームポジション復帰動作時には突出位置に位置するので、圧縮された孔版原紙Mが排版ローラ６１側に戻るのを防止することができる。
【００３１】
なお、本実施形態では、圧縮板７３の圧縮力によって、排版ガイド７５の可動ガイド部８２が回動する構成としたが、これに限らない。例えば、圧縮バネ８３に代えて、可動ガイド部８２のガイド部回転軸８１にモータなどのアクチュエータを接続し、圧縮板７３の回動に併せて、アクチュエータを制御し、可動ガイド部８２を退避位置と突出位置に移動させるようにしても良い。
【符号の説明】
【００３２】
１…孔版印刷装置
３…筐体
５…孔版印刷部
７…給紙台
９…排紙台
１１…原稿読み取り手段
１３…版胴
４１…排版部
４３…排版ボックス
４５…原紙送り込み手段
４７…回転軸
４９…駆動プーリ
５５…従動プーリ
５７…送りベルト
５９…回転軸
６１…排版ローラ（送り込みローラ）
６５…収容室
６７…奥壁部
６９…圧縮手段
７１…回動軸
７３…圧縮板
７５…排版ガイド
７７…ガイド面（支持部）
８１…ガイド部回転軸
８２…可動ガイド部
８３…圧縮バネ
８４…排版ガイド側突起
８５…筐体側突起
【図１】
2013208750.tif 000003
【図２】
2013208750.tif 000004
【図３】
2013208750.tif 000005
【図４】
2013208750.tif 000006